(57)【要約】  【課題】壁面への取り付けが簡単な吊り庇用ハニカムパネルを提供する。また固定金具を配設する所定の壁面に障害物があって設置位置が多少ずれても、吊り材を外観良く張架することができるようにした吊り庇用ハニカムパネルを提供する。  【解決手段】壁面に設けた嵌合部材に嵌合する嵌合部２を一側面に備え、且つ天板に吊り材を固定するための固定金具３、４を配設した吊り庇用ハニカムパネル１である。また本考案は、壁面に設置した嵌合部材と、上記の構造の吊り庇用ハニカムパネルとからなる吊り庇材である。上記の嵌合部材はホルダーが好ましく、上記の嵌合部はグリップ２が好ましい。上記の吊り材を固定するための固定金具３、４は、レール型材であることが好ましい。  【選択図】図１
0003103652.tif 000002
【実用新案登録請求の範囲】
【請求項１】
壁面に設けた嵌合部材に嵌合する嵌合部を一側面に備え、且つ天板に吊り材を固定するための固定金具を配設したことを特徴とする吊り庇用ハニカムパネル。
【請求項２】
壁面に固着したホルダーに嵌合するグリップを一側面に備え、且つ天板に吊り材を固定するための固定金具を配設したことを特徴とする吊り庇用ハニカムパネル。
【請求項３】
吊り材を固定するための固定金具がレール型材であり、吊り材の固定部がスライド可能であることを特徴とする請求項１又は２記載の庇用ハニカムパネル。
【請求項４】
壁面に設置する嵌合部材と、該嵌合部材に嵌合する嵌合部を一側面に備え且つ天板に吊り材を固定するための固定金具を配設したハニカムパネルとからなる吊り庇材。
【請求項５】
壁面に固着するホルダーと、このホルダーに嵌合するグリップを一側面に備え且つ天板に吊り材を固定するための固定金具を配設したハニカムパネルとからなる吊り庇材。
【請求項６】
吊り材を固定するための固定金具が、レール型材であり、吊り材の固定部がスライド可能であることを特徴とする請求項４又は５記載の吊り庇材。
【考案の詳細な説明】
【技術分野】
【０００１】
本考案は、玄関先などの庇として設置する吊り庇用ハニカムパネルに関する。
【背景技術】
【０００２】
近年、建築材料にハニカムパネルが多用されている。その一つとして、ハニカムパネルを玄関先などの庇に利用することが行われている。第５図は、従来のハニカムパネルの庇を取り付けてたときの斜視図である。２１はハニカムパネル庇材、２２はハニカムパネル庇材を取り付ける壁面である。２３はハニカムパネル庇材の一側面を壁面に固着させた固着部である。２４、２５はハニカムパネル庇材を吊るための吊り材である。２６、２７は吊り材２４を固定するための固定金具であり、２８、２９は吊り材２５を固定するための固定金具である。そして、固定金具２６、２８は庇の天板に配設され、また固定金具２７、２９は壁面に配設されている。３０は庇に設けたトイである。
【０００３】
従来のハニカムパネル製の庇を取り付けるには次のようにしている。すなわち、まず、ハニカムパネル庇材２１の一側面を壁面２２に固着２３する。この固着は、例えば、ハニカムパネルの一側面にその全幅にわたるアングルをねじで固定し、このアングルの他の面を壁面にねじなどで固定することによって行う。次いで吊り材２４、２５を、庇の天板及び壁面のそれぞれに配設された固定金具２６、２７、２８、２９に張架する。
【考案の開示】
【考案が解決しようとする課題】
【０００４】
従来、ハニカムパネル庇材を取り付けには、上記のようにハニカムパネル庇材の一側面をアングルなどの固定金具を用いて壁面２２に固着する必要がある。この固着は強固にする必要があるが、厚さが薄いハニカムパネル製庇材の一側面を平坦な壁面に固着しなければならないため、その施工が難しく、また煩雑である。また、吊り材２４、２５を張架するために壁面に配設する固定金具２７、２９は、壁面に障害物があると所定の位置に配設することができなくなる場合が実際の施工では往々にしてあり、このときは、吊り材２４、２５をきちんと外観良く張架することができず、また吊り強度が充分に発揮されない問題点がある。３０は庇に設けたトイである。
【０００５】
本考案は、壁面への取り付けが簡単な吊り庇用ハニカムパネルを提供することを目的とし、また固定金具２７、２９を配設する所定の壁面に障害物があってその設置位置が多少ずれても、吊り材２４、２５を外観良く張架することができるようにした吊り庇用ハニカムパネルを提供することを目的とする。
【課題を解決するための手段】
【０００６】
すなわち、本考案は、壁面に設けた嵌合部材に嵌合する嵌合部を一側面に備え、且つ天板に吊り材を固定するための固定金具を配設したことを特徴とする吊り庇用ハニカムパネルである。また本考案は、壁面に固着したホルダーに嵌合するグリップを一側面に備え、且つ天板に吊り材を固定するための固定金具を配設したことを特徴とする吊り庇用ハニカムパネルである。上記の吊り材を固定するための固定金具をレール型材にして、吊り材の固定部がスライド可能であるようにするのが好ましい。
【０００７】
また、本考案は、壁面に設置する嵌合部材と、該嵌合部材に嵌合する嵌合部を一側面に備え且つ天板に吊り材を固定するための固定金具を配設したハニカムパネルとからなる吊り庇材である。また本考案は、壁面に固着するホルダーと、このホルダーに嵌合するグリップを一側面に備え且つ天板に吊り材を固定するための固定金具を配設したハニカムパネルとからなる吊り庇材である。上記の吊り材を固定するための固定金具が、レール型材であり、吊り材の固定部がスライド可能であることを特徴とする吊り庇材である。
【考案の効果】
【０００８】
本考案によると、吊り庇用ハニカムパネルの壁面への取り付けが簡単で、いわゆるワンタッチで吊り庇用ハニカムパネルの一側面を壁面に固着できる。また吊り材を固定する固定金具を配設する所定の壁面に障害物があって固定金具の設置位置が多少ずれても、吊り材を外観良く張架すことができる。
【考案を実施するための最良の形態】
【０００９】
本考案は、壁面に設けた嵌合部材に嵌合する嵌合部を一側面に備え、且つ天板に吊り材を固定するための固定金具を配設した吊り庇用ハニカムパネルである。その一例を図１を用いて説明する。図１は本考案の吊り庇用ハニカムパネルの斜視図である。１はハニカムパネル庇材、２は、ハニカムパネル庇材１の一側面の全幅にわたって設けたグリップ（嵌合部）である。このグリップ２は、図２に示すように、ハニカムパネル庇材１の端部に取り付けた枠体５に形成されている。３、４は、それぞれ吊り材を固定するための固定金具で、庇の天板に配設されている。３０は庇に設けたトイである。
【００１０】
吊り庇用ハニカムパネルの取り付け方を説明する。図２はハニカムパネル庇材１の一側面を壁面に固着する方法を示す断面図である。６は、壁面９にネジ８によって固定されたホルダー部材で、グリップ２を嵌合するためのホルダー７（嵌合部材）を有する。このホルダー部材６は、壁面９の吊り庇用ハニカムパネルを設置する所定の位置に、ハニカムパネル庇材１の取り付け側面の幅全体にわたって設ける。ハニカムパネル庇材１の取付け側面に設けたグリップ２を、ホルダー部材６のホルダー７に挿入し（ａ図、ｂ図）、押し込んで（ｃ図）、グリップ２をホルダー７に嵌合させる（ｄ図）。これによって、吊り庇用ハニカムパネルを壁面に固着できる。このように、本考案の吊り庇用ハニカムパネルは、ワンタッチで簡単に、その一側面を壁面に固着できる。
【００１１】
吊り庇用ハニカムパネルを上記のごとくして、その一側面を壁面に固着した後、従来法のごとく、庇天板に配設した固定金具と壁面に配設した固定金具を利用して、吊り材を張架して庇の取り付けを完了する。
【００１２】
吊り材を固定するために庇天板に配設する固定金具として、レール型の固定金具を用いるのが好ましい。図３はその一例を示した斜視図である。図３において、１０はレール型の固定金具、１１はその端面である。吊り材の端部に断面Ｔ字型の留め金具を取り付け、この断面Ｔ字部の留め金具を、レール型の固定金具１０の端面１１から挿入して吊り材を固定金具に固定する。
【００１３】
図４は、レール型の固定金具を天板に設けた本考案の吊り庇材を用いて庇を施工したときの一例の斜視図である。図４において、１はハニカムパネル庇材である。１２はハニカムパネル庇材１を壁面に設置した嵌合部材に嵌合させて固定した固定部である。２４、２５はハニカムパネル庇材を吊るための吊り材である。１０、１０’は吊り材２４、２５をハニカムパネル庇材の天板に固定するためのレール型の固定金具である。２７、２９は吊り材２４、２５を壁面に固定するための固定金具である。２２は壁面、３０は庇に設けたトイである。このレール型の固定金具１０、１０’を用いると、吊り材の固定位置を、固定金具１０、１０’の長さ内をスライドさせて任意の位置に定めることができる。そのため、壁面に配設する吊り材を固定するための固定金具の位置が壁面の都合で多少ずれても、これに対応して、天板の吊り材の固定位置を移動させて、外観良く吊り材を張架できる。レール型の固定金具の断面形状は、吊り材の端部に取り付ける留め金具を固定でき、且つこの留め金具がスライド可能であれば任意である。
【図面の簡単な説明】
【００１４】
【図１】本考案の吊り庇用ハニカムパネルの斜視図
【図２】本考案の吊り庇用ハニカムパネルの取付け方を示した断面図
【図３】庇天板に配設する吊り材用のレール型の固定金具の一例の斜視図
【図４】本考案の吊り庇用ハニカムパネルを設置したときの斜視図
【図５】従来の吊り庇用ハニカムパネルを設置した状態を示す斜視図
【符号の説明】
【００１５】
１，２１  ハニカムパネル庇材、２  グリップ、３，４，２６，２７，２８，２９  吊り材の固定金具、５  枠体、６  ホルダー部材、７  ホルダー、１０、１０’  吊り材のレール型固定金具、２４，２５  吊り材、３０  トイ
【図１】
0003103652.tif 000003
【図２】
0003103652.tif 000004
【図３】
0003103652.tif 000005
【図４】
0003103652.tif 000006
【図５】
0003103652.tif 000007